(57)【要約】【課題】ホースカバーとパイプ本体の当接部分の段差を抑制したホースカバーを提供する。【解決手段】パイプ本体３の外周面に勘合する勘合部材４１ａ，４１ｂと、当該勘合部材４１ａ，４１ｂから漸次外径が拡大する形状を有する傾斜部４２ａ，４２ｂと、当該傾斜部４２ａ，４２ｂと連続して形成され、集塵ホース２の外径よりも大きい内径を有する半円筒部４３ａ，４３ｂとを備えたホースカバー４であって、勘合部材４１ａ，４１ｂがパイプ本体３の外周面に嵌着すると、パイプ本体３の外周面と傾斜部４２ａ，４２ｂとが連続した同一面を形成する。【選択図】図３
2013188372.tif 000002
【特許請求の範囲】
【請求項１】
電気掃除機本体に接続された集塵ホースとパイプ本体との接続部の外周を覆う筒状のホースカバーであって、
前記パイプ本体の外周面に勘合する勘合部と、当該勘合部から漸次外径が拡大する形状を有する傾斜部と、当該傾斜部と連続して形成され、前記集塵ホースの外径よりも大きい内径を有する円筒部とを備え、
前記勘合部が前記パイプ本体の外周面に嵌着すると、前記パイプ本体の外周面と前記傾斜部とが連続した同一面を形成することを特徴とするホースカバー。
【請求項２】
前記勘合部は、前記ホースカバーの一端部の内周方向に突設した円周状の勘合部材であり、当該勘合部材が前記パイプ本体の外周面に円周状に設けられた溝部に勘合し、前記ホースカバーが前記パイプ本体の外周面に嵌着することを特徴とする請求項１記載のホースカバー。
【請求項３】
前記ホースカバーは、前記集塵ホースおよび前記パイプ本体を、前記集塵ホースおよび前記パイプ本体の延伸方向に対して垂直方向から挟持する半筒状の第１のカバー部材および第２のカバー部材で構成され、
前記第１のカバー部材および前記第２のカバー部材は、内周面に形成した係止部材を介して互いに係止されることを特徴とする請求項１または請求項２記載のホースカバー。
【請求項４】
前記円筒部は、前記集塵ホースを可動可能に保持する開口端部を備え、当該開口端部を内周方向に屈曲させて円周状の突起部を形成することを特徴とする請求項１から請求項３のうちのいずれか１項記載のホースカバー。
【請求項５】
前記開口端部を内周方向に屈曲する際に形成される角部に、Ｒ面またはＣ面を形成することを特徴とする請求項４記載のホースカバー。
【請求項６】
電気掃除機本体と、前記電気掃除機本体に接続された集塵ホースと、前記集塵ホースの端部に接続されたパイプ本体と、前記パイプ本体と一体成形された手元ハンドルと、前記パイプ本体の端部に接続された吸口体と、前記集塵ホースと前記パイプ本体との接続部分の外周を覆う請求項１から請求項５のうちのいずれか１項記載のホースカバーを備えたことを特徴とする電気掃除機。
【請求項７】
前記電気掃除機本体は電源の供給により駆動する電動機を備え、
前記手元ハンドルは前記電動機を駆動制御する手元操作部を備え、
前記ホースカバーは、前記吸口体の開口部が被清掃面に対向し、前記手元ハンドルが上方に位置する場合に、上部に前記円筒部から前記勘合部に連通する配線通路を備え、
前記電動機と前記手元操作部とを電気的に接続する電気配線は、前記電動機から前記集塵ホースを介して前記ホースカバーの円筒部側から入力され、前記配線通路内を通り、前記手元操作部に接続されることを特徴とする請求項６記載の電気掃除機。
【発明の詳細な説明】
【技術分野】
【０００１】
この発明は、パイプ本体と集塵ホースの接続部を覆うホースカバーおよび当該ホースカバーを備えた掃除機に関するものである。
【背景技術】
【０００２】
一般的な掃除機の手元操作部近傍には、ホースを内包するホースカバーがパイプ本体に接続して配置されている。従来のホースカバーとパイプ本体との接合部分には段差が存在し、美観が損なわれるあるいは使い勝手が損なわれるという問題があった。この対策として、特許文献１には、パイプ本体とホースカバーとの接続部分の段差を低減させた接続構造が開示されている。図１２は、特許文献１に開示された従来の掃除機のホースカバー９１とパイプ本体９２の接続部分を示す部分断面図である。図１２に示すように、ホースカバー９１とパイプ本体９２は異なる外径を有していることから、ホースカバー９１とパイプ本体９２の当接部分の段差を低減するために、ホースカバー９１との当接部に向けてパイプ本体９２の厚みを増加させている。
【先行技術文献】
【特許文献】
【０００３】
【特許文献１】特開２００２−１４３０５８号公報
【発明の概要】
【発明が解決しようとする課題】
【０００４】
しかしながら、上述した特許文献１に開示された技術では、ホースカバー９１とパイプ本体９２の当接部分の段差を低減するためにパイプ本体９２の厚みを増加させてパイプ本体９２の外径をホースカバー９１の外径に近づけているため、パイプ本体９２の厚みが増加することによりパイプ本体９２を成形する際にパイプ本体の内周面にヒケが形成されるという課題があった。ここで、ヒケとは樹脂の厚みが不均一な場合に樹脂の厚い部分は硬化するまでに時間を必要とし、表面が凹む現象である。パイプ本体の内周面にヒケが形成されることにより、パイプ本体の内周面に凹凸が生じ、吸引動作による吸引風に圧力損失が生じるという課題があった。
【０００５】
この発明は、上記のような課題を解決するためになされたもので、パイプ本体の厚みを増加させることなく、ホースカバーとパイプ本体の当接部分の段差を抑制したホースカバーおよび当該ホースカバーを備えた掃除機を提供することを目的とする。
【課題を解決するための手段】
【０００６】
この発明に係るホースカバーは、パイプ本体の外周面に勘合する勘合部と、当該勘合部から漸次外径が拡大する形状を有する傾斜部と、当該傾斜部と連続して形成され、集塵ホースの外径よりも大きい内径を有する円筒部とを備え、勘合部がパイプ本体の外周面に嵌着すると、パイプ本体の外周面と傾斜部とが連続した同一面を形成する。
【発明の効果】
【０００７】
この発明によれば、パイプ本体の厚みを増加させることなく、パイプ本体とホースカバーとの間に生じる段差を抑制することができる。これにより、吸引風の圧力損失を抑制し、パイプカバーの外観の意匠的美観を保つことができる。
【図面の簡単な説明】
【０００８】
【図１】実施の形態１によるホースカバーを備えた掃除機の全体図の構成を示す斜視図である。
【図２】実施の形態１によるホースカバーを示す斜視図である。
【図３】実施の形態１によるホースカバーの側方断面図である。
【図４】実施の形態１による第１および第２のカバー部材の係止機構を示す図である。
【図５】実施の形態１によるホースカバーを適用した掃除機の手元ハンドルの構成を示す斜視図である。
【図６】実施の形態１による第１および第２のカバー部材のその他の係止機構を示す図である。
【図７】実施の形態１による第１および第２のカバー部材のその他の係止機構を示す図である。
【図８】実施の形態２によるホースカバーの側方断面図である。
【図９】実施の形態２によるホースカバーの突起部の構成を示す側方部分断面図である。
【図１０】実施の形態３によるホースカバーを適用した掃除機の手元ハンドルの構成を示す図である。
【図１１】実施の形態３によるホースカバーを適用した掃除機の手元ハンドルのその他の構成を示す図である。
【図１２】従来の掃除機のパイプ本体とホースカバーを示す部分断面図である。
【発明を実施するための形態】
【０００９】
実施の形態１．
図１は、実施の形態１によるホースカバーを備えた掃除機全体の構成を示す斜視図である。
実施の形態１による掃除機は、電動送風機や集塵室などを搭載した掃除機本体１と、当該掃除機本体１に接続される集塵ホース２と、集塵ホース２の他端部に接続されるパイプ本体３と、集塵ホース２とパイプ本体３との接続部を覆うホースカバー４と、パイプ本体３に着脱可能に接続された複数の継手パイプ５，６および床ブラシ（吸口体）７で構成されている。また、パイプ本体３には手元操作部３１および手元ハンドル３２が設けられている。さらに、集塵ホース２とパイプ本体３とは互いに強固に係合されており、この集塵ホース２とパイプ本体３との係合をホースカバー４が保護している。
【００１０】
次に、このホースカバー４の詳細について説明する。図２は実施の形態１によるホースカバーを示した斜視図であり、図３は実施の形態１によるホースカバーを示した側方断面図である。
図２および図３に示すように、ホースカバー４の一端部はパイプ本体３の外周部に嵌着され、他端部は集塵ホース２が挿通可能な開口部を有している。また、ホースカバー４は
第１のカバー部材４ａおよび第２のカバー部材４ｂの２つの半筒状の部材で構成される。パイプ本体３を、パイプ本体３の延伸方向に対して垂直方向から第１のカバー部材４ａおよび第２のカバー部材４ｂで挟み込むことにより、集塵ホース２とパイプ本体３との接続部分を保護する。
【００１１】
次に、図３を参照しながら、パイプ本体３とホースカバー４との勘合について説明する。図３に示すように、第１のカバー部材４ａおよび第２のカバー部材４ｂのパイプ本体３の外周部に嵌着する端部には、内径方向に突出する半円周状の勘合部材４１ａおよび勘合部材４１ｂが形成されている。一方、パイプ本体３の外周面には、当該勘合部材４１ａ，４１ｂが勘合可能な円周状の勘合溝３３が設けられている。第１のカバー部材４ａおよび第２のカバー部材４ｂの勘合部材４１ａ，４１ｂが、パイプ本体３の勘合溝３３に勘合するように、第１のカバー部材４ａおよび第２のカバー部材４ｂを用いてパイプ本体３を挟み込む。これにより、ホースカバー４がパイプ本体３に強固に固定される。
【００１２】
ホースカバー４がパイプ本体３の外周部に嵌着された状態では、図３に示すようにパイプ本体３とホースカバー４との当接部分に段差のない連続した同一の外周面が形成される。当接部分の段差のない連続した同一外周面は、パイプ本体３の肉厚を勘合溝３３に向けてわずかに増加させて形成した傾斜部３４と、第１のカバー部材４ａおよび第２のカバー部材４ｂの勘合部材４１ａ，４１ｂから所定角度傾斜させて形成した半円周状の傾斜部４２ａ，４２ｂにより形成される。傾斜部３４と傾斜部４２ａ，４２ｂの傾斜角度を、パイプ本体３の延伸方向に対して同一角度とすることにより、連続した同一面を形成することができる。傾斜部４２ａ，４２ｂから連続して形成された半円筒状の半円筒部４３ａ，４３ｂは集塵パイプ２の外径よりも所定量大きい内径を有している。
【００１３】
なお、パイプ本体３に設けた傾斜部３４において、内周面と外周面との肉厚の差が大きくなる傾斜部である場合、パイプ本体３の材料の厚みが不均一となり、成形収縮によって生じる凹み（以下、ヒケと称する）がパイプ本体３の内周面に発生してしまう。このヒケの発生を抑制するために、傾斜部３４の傾斜量、すなわち厚みの増加量は、勘合溝３３が勘合部材４１ａ，４１ｂを係止可能な最小限の値に抑制する。これにより、パイプ本体３の内周面にヒケが形成されるのを抑制し、且つパイプ本体３とホースカバー４との当接部分に段差のない連続した同一外周面を形成することができる。
【００１４】
次に、第１のカバー部材と第２のカバー部材との係止について説明する。図４は実施の形態１によるホースカバーの係止機構を示す図であり、図４（ａ）は当該係止機構の斜視図を示し、図４（ｂ）は当該係止機構の断面図を示している。
第１のカバー部材４ａの内周面には２つの係止爪４４ａ、および当該係止爪４４ａに対向する位置に２つの係止爪勘合穴４５ａが形成されている。一方、第２のカバー部材４ｂには、組み立て時に第１のカバー部材４ａの２つの係止爪４４ａが勘合可能な２つの係止爪勘合穴４５ｂが形成されると共に、当該係止爪勘合穴４５ｂに対向する位置に２つの係止爪４４ｂが形成される。第１のカバー部材４ａの２つの係止爪４４ａを第２のカバー部材４ｂの２つの係止爪勘合穴４５ｂに挿入すると共に、第２のカバー部材４ｂの２つの係止爪４４ｂを第１のカバー部材４ａの係止爪勘合穴４５ａに挿入することにより、第１のカバー部材４ａと第２のカバー部材４ｂとが強固に接続される。
【００１５】
また、図４（ｂ）に示すように、係止爪４４ａ，４４ｂおよび係止爪勘合穴４５ａ，４５ｂは、第１のカバー部材４ａおよび第２のカバー部材４ｂの内周方向に突出するように形成されているため、ホースカバー４の外周面に勘合部材を配置する必要がなく、ホースカバー４の外観を損ねることがない。
【００１６】
図５は、実施の形態１によるホースカバーを適用した掃除機の使用例を示す図である。
上述したホースカバー４を適用することにより、パイプ本体３とホースカバー４の傾斜部３４，４２ａ，４２ｂにより、パイプ本体３とホースカバー４との接続部分に段差が発生することなく連続した同一外周面が形成される。これにより図５（ｂ）に示すようにホースカバー４とパイプ本体３との接続部分近傍を第２の手元ハンドルとして利用した際に、ユーザに段差による違和感を与えない。
【００１７】
また、図５に示すように、手元ハンドル３２はパイプ本体３および集塵ホース２の延伸方向の中心に対して上方に位置している。そのため、手元ハンドル３２によるハンドル操作は直接床ブラシ７に伝達されずにブレが生じてしまう。一方、ホースカバー４とパイプ本体３との接続部近傍の第２の手元ハンドルは、パイプ本体３および集塵ホース２の延伸方向の中心近傍に位置することなく、ユーザのハンドル操作が効率よく床ブラシ７に伝達され、ブレが生じないという利点がある。
【００１８】
さらに、第１のカバー部材４ａと第２のカバー部材４ｂは、パイプ本体３と集塵ホース２の延伸方向に対して垂直上方向に第１のカバー部材４ａが存在し、垂直下方向に第２のカバー部材４ｂが存在することにより、第１のカバー部材４ａと第２のカバー部材４ｂの継ぎ目がパイプ本体３と集塵ホース２の延伸方向に対して左右に位置する。これにより、ホースカバー４とパイプ本体３との接続部分近傍を第２の手元ハンドルとして利用した場合にも、第１のカバー部材４ａと第２のカバー部材４ｂの継ぎ目がユーザの指先に接触して違和感を与えるのを防ぐことができる。
【００１９】
以上のように、この実施の形態１によれば、傾斜部３４を有するパイプ本体３に対して、傾斜部４２ａ，４２ｂを有するホースカバー４を嵌着させるように構成したので、パイプ本体とホースカバーとの接続部分に段差が生じることなく連続した同一外周面を形成することができる。これによりホースカバーおよびホースカバーとパイプ本体との接続部分の外観の意匠的美観を向上させることができる。
【００２０】
また、この実施の形態１によれば、パイプ本体３に設けた勘合溝３３に、ホースカバー４の端部に設けた内径方向に突出する勘合部材４１ａ，４１ｂを勘合させることにより接続するように構成したので、ホースカバーの外周面に凹凸が形成されることなく、ホースカバーの外観の意匠的美観を向上させることができる。
【００２１】
また、この実施の形態１によれば、第１のカバー部材４ａと第２のカバー部材４ｂとを固定する係止機構である係止爪４４ａ，４４ｂおよび係止爪勘合穴４５ａ，４５ｂを第１のカバー部材４ａと第２のカバー部材４ｂの内周面に形成するように構成したので、ホースカバーの外周面に凹凸が形成されることなく、ホースカバーの外観の意匠的美観を向上させることができる。
【００２２】
また、この実施の形態１によれば、パイプ本体３とホースカバー４との接続部分に連続した同一の外周面を形成し、さらにホースカバー４の外周面に凹凸が形成されないように構成したので、パイプ本体とホースカバーとの接続部分近傍を第２の手元ハンドルとして利用することができる。
【００２３】
なお、上述した実施の形態１では、第１のカバー部材４ａと第２のカバー部材４ｂとを係止爪４４ａ，４４ｂおよび係止爪勘合穴４５ａ，４５ｂを用いて係止する構成を示したが、その他の構成を用いて係止してもよい。
図６は、実施の形態１によるホースカバーのその他の係止方法を示す図である。図６に示す構成では、ねじ８が矢印Ａ方向から第２のカバー部材４ｂに設けたねじ穴４６ａを貫通して第１のカバー部材４ａのねじ穴４６ｂ内で止まることにより第１のカバー部材４ａおよび第２のカバー部材４ｂを係止する。
【００２４】
図７は、実施の形態１によるホースカバーのその他の係止方法を示す図である。図７に示す構成では、ねじ８が矢印Ｂ方向から第１のカバー部材４ａに設けたねじ穴４７を貫通して第２のカバー部材４ｂに設けたねじ穴（不図示）内で止まることにより第１のカバー部材４ａおよび第２のカバー部材４ｂを係止する。
このように、ねじおよびねじ穴を用いた場合にも、ホースカバー４の外観の意匠的美観を損なうことなく第１のカバー部材４ａと第２のカバー部材４ｂとを係止することができる。
【００２５】
実施の形態２．
図８は、この発明の実施の形態２によるホースカバーの構成を示す図である。図８に示すように、ホースカバー４を構成する第１のカバー部材４ａおよび第２のカバー部材４ｂの開口部側端部を内周方向に屈曲させて半円周状の突起部４８ａ，４８ｂを形成する。第１および第２のカバー部材４ａ，４ｂの内周方向に突出する突起部４８ａ，４８ｂを設けることにより、ホースカバー４の外観の意匠的美観を損ねることなく、ホースカバー４の開口部側端部の強度を確保することができる。
【００２６】
なお、図８に示した開口部側端部を内周方向に屈曲させて突起部４８ａ，４８ｂを設ける構成では、開口側端部の厚みが大きくなり、材料の厚みが厚い部分は効果するまでに時間を要し、突起部４８ａ，４８ｂが形成された位置に対向するホースカバー４の外表面（図８に示す領域Ｃ）にヒケが生じる可能性がある。そのため、次にホースカバー４の外表面にヒケが発生するのを防止する構成を図９に示す。
図９（ａ）は、第１のカバー部材４ａの開口部側端部を内周方向に屈曲させた際の角部４９ａをＲ面形状としている。また、図９（ｂ）は、第１のカバー部材４ａの開口部側端部を内周方向に屈曲させた際の角部４９ａ´をＣ面形状としている。このように、突起部４８ａを形成する際に生じる角部４９ａ，４９ａ´にＲ面形状およびＣ面形状を設けることにより、開口部側端部の厚みが増大するのを抑制し、ホースカバー４の外表面にヒケが発生するのを防止することができる。
【００２７】
さらに図９（ｃ）では、第１のカバー部材４ａの突起部に切り込みを設けて二股の突起部４８ａ´とし、開口部側端部の材料の厚みが増大するのを抑制している。また、図９（ｄ）では、開口部側端部を内周方向に屈曲させる際の角度を約４５°として突起部４８ａ´´を形成し、開口部側端部の材料の厚みが増大するのを抑制している。一方、図９（ｅ）および図９（ｆ）に示す例では、ヒケが発生すると想定されるホースカバー４の外表面にあらかじめデザイン的な溝４９ａ´´，４９ａ´´´を設ける構成を示している。これにより、ホースカバー４の外表面にヒケが発生した場合にも、表面の凹凸を目立ちにくくすることができる。
【００２８】
図９（ａ）から図９（ｆ）の構成とすることにより、ホースカバー４の外周面の意匠的美観を損なうことなく、開口部側端部の強度を確保することができる。なお、図９（ａ）から図９（ｆ）では、第１のカバー部材４ａにヒケの発生を抑制する形状を設ける構成を示したが、第２のカバー部材４ｂにも同様の形状を設けるものとする。
【００２９】
以上のように、この実施の形態２によれば、ホースカバー４の開口部側端部を内周方向に屈曲させて突起部を形成するように構成したので、ホースカバー４の外観の意匠的美観を損なうことなくホースカバー４の開口部側端部の強度を確保することができる。
【００３０】
また、この実施の形態２によれば、ホースカバー４の開口側端部を内周方向に屈曲させた際の角部にＲ面形状またはＣ面形状を設けるように構成したので、ホースカバーの外表面にヒケが発生するのを防止することができる。また、突起部４８ａの先端を二股に分ける、または開口部端部を内周方向に屈曲させる際の角度を緩やかにするように構成したので、ホースカバーの外表面にヒケが発生するのを防止することができる。
【００３１】
また、この実施の形態２によれば、突起部４８ａの形成によりヒケが発生すると想定されるホースカバー４の外表面にあらかじめデザイン的な溝４９ａ´´，４９ａ´´´を設けるように構成したので、ヒケが発生した場合にも表面の凹凸を目立ちにくくすることができる。
【００３２】
実施の形態３．
通常掃除機は、掃除機本体１のモータ（電動機、不図示）と手元操作部３１が電気的に接続され、手元操作部３１の操作によりモータの駆動が電気的に制御される。これに加えて、手元操作部３１と床ブラシ７が電気的に接続されると、手元操作部３１の操作により床ブラシ７の動作も電気的に制御される。
この実施の形態３では、上述した実施の形態１および実施の形態２の構成に加えて、掃除機本体１および集塵ホース２、ホースカバー４、パイプ本体３を介して手元操作部３１に電気的配線を配置する構成について説明する。
【００３３】
図１０は、実施の形態３によるホースカバーを備えた掃除機を示す図であり、図１０（ａ）はその側方斜視図を示し、図１０（ｂ）はその側方断面図を示している。
図１０（ａ）に示すように、実施の形態３では、第１のカバー部材４ａ´の上方に配線通路９を設けている。配線通路９は、第１のカバー部材４ａ´の開口部側端部から手元操作部３１側に連通する通路である。そのため、上述した実施の形態１および実施の形態２で示した傾斜部４２ａの一部を形成することなく、第１のカバー部材４ａ´の上部を直線状に延伸して手元ハンドル３２の外周面と接続させる。なお、第１のカバー部材４ａ´の上部の配線通路９以外の領域には傾斜部４２ａを形成し、パイプ本体３とホースカバー４との当接部分に段差のない連続した同一外周面を形成する。
【００３４】
掃除機本体１から集塵ホース２を介して配線された電気配線１０は、図１０（ｂ）に示すように、第１のカバー部材４ａ´の開口部側端部から入力されて配線通路９内を通り、手元ハンドル３２に設けられた手元操作部３１に接続される。これにより、手元操作部３１の操作により掃除機本体１のモータが電気的に制御される。なお、電気配線１０を床ブラシ７側にも延伸して接続することにより、床ブラシ７も電気的に制御可能である。
【００３５】
なお、第２のカバー部材４ｂは、実施の形態１および実施の形態２で示した構成と同様であり、半円周状の傾斜部４２ｂを有し、パイプ本体３との連続した同一外周面を形成する。また、第１のカバー部材４ａ´と第２のカバー部材４ｂとの係止機構は実施の形態１および実施の形態２と同様である。また、配線通路９以外の領域には、実施の形態１および実施の形態２と同様の構成である勘合溝３３および勘合部材４１ａ，４１ｂが形成されており、第１のカバー部材４ａ´と第２のカバー部材４ｂを用いてパイプ本体３を挟み込むことにより第１のカバー部材４ａ´および第２のカバー部材４ｂがパイプ本体３に強固に固定される。
【００３６】
図１１は、実施の形態３によるホースカバーを備えた掃除機の他の構成を示す図であり、他の構成図であり、図１１（ａ）は側方斜視図であり、図１１（ｂ）は図１１（ａ）のホースカバーの分解斜視図である。
図１１に示すホースカバー４は、第１のカバー部材４ａ´´が配線通路に加えて手元ハンドルの一部として機能するハンドル部材１１を備えている。ハンドル部材１１は、図１０で示した配線通路９の開口部側端部を延伸して上部に位置する手元ハンドル３２の端部と接続している。掃除機本体１から集塵ホース２を介して配線された電気配線（不図示）は、第１のカバー部材４ａ´´の開口部側端部から入力されてハンドル部材１１内を通り、手元ハンドル３２に設けられた手元操作部３１に接続される。これにより手元操作部３１の操作により掃除機本体１のモータが電気的に制御される。
【００３７】
なお、ハンドル部材１１以外の領域には、実施の形態１および実施の形態２で示した構成と同様に傾斜部４２ａを形成し、パイプ本体３との連続した同一外周面を形成する。第２のカバー部材４ｂは、実施の形態１および実施の形態２で示した構成と同様であり、半円周状の傾斜部４２ｂを有し、パイプ本体３との連続した同一外周面を形成する。
【００３８】
また、図１１（ｂ）に示すように、第１のカバー部材４ａ´´にハンドル部材１１を設けたことから、第１のカバー部材４ａ´´と第２のカバー部材４ｂとの接続をより強固なものとするため、実施の形態１で示した係止爪４４ａ，４４ｂおよび係止爪勘合穴４５ａ，４５ｂに加えてさらに２つの係止爪（不図示）および２つの係止爪勘合穴４５ａ´、４５ｂ´を追加して設けてもよい。また、第１のカバー部材４ａ´´および第２のカバー部材４ｂとパイプ本体３の勘合は、実施の形態１および実施の形態２と同様の構成である。
【００３９】
以上のように、この実施の形態３によれば、掃除機本体１から集塵ホース２を介して配線された電気配線１０を通す配線通路９またはハンドル部材１１を設けるように構成したので、パイプ本体３とホースカバー４との当接部分の連続した同一外周面を維持しつつ、電気配線を手元操作部に接続することができる。これにより、当該ホースカバーを、電気配線を配置する必要のある電気掃除機にも適用可能することができる。
【００４０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４１】
１  掃除機本体、２  集塵ホース、３  パイプ本体、４  ホースカバー、４ａ，４ａ´，４ａ´´  第１のカバー部材、４ｂ  第２のカバー部材、５，６  継手パイプ、７  床ブラシ、８  ねじ、９  配線通路、１０  電気配線、１１  ハンドル部材、３１  手元操作部、３２  手元ハンドル、３３  勘合溝、３４，４２ａ，４２ｂ  傾斜部、４１ａ，４１ｂ  勘合部材、４３ａ，４３ｂ  半円筒部、４４ａ，４４ｂ  係止爪、４５ａ，４５ａ´，４５ｂ，４５ｂ´  係止爪勘合穴、４６ａ，４６ｂ，４７  ねじ穴、４８ａ，４８ａ´，４８ａ´´，４８ｂ  突起部、４９ａ，４９ａ´  角部、４９ａ´´，４９ａ´´´  溝。
【図１】
2013188372.tif 000003
【図２】
2013188372.tif 000004
【図３】
2013188372.tif 000005
【図４】
2013188372.tif 000006
【図５】
2013188372.tif 000007
【図６】
2013188372.tif 000008
【図７】
2013188372.tif 000009
【図８】
2013188372.tif 000010
【図９】
2013188372.tif 000011
【図１０】
2013188372.tif 000012
【図１１】
2013188372.tif 000013
【図１２】
2013188372.tif 000014